(57)【要約】【課題】  枠体の室内側に樹脂製のアングル部材が配置されたサッシについて、サッシの搬送時にアングル部材が容易に外れることなく、施工後には、アングル部材を容易に交換可能とする。【解決手段】枠体の室内側に樹脂製のアングル部材が取付けられており、アングル部材は、開口部の内周面に沿う見込面を有するアングル部と、枠体の室内側部分に係合可能な取付壁部とを有し、取付壁部は、枠体に対して係合する係合部と、係合部よりアングル部側に形成された引きちぎり自在部を有する。【選択図】  図６
2020026646.tif 000002
【特許請求の範囲】
【請求項１】
枠体の室内側に樹脂製のアングル部材が取付けられており、
アングル部材は、開口部の内周面に沿う見込面を有するアングル部と、枠体の室内側部分に係合可能な取付部とを有し、
取付部は、枠体に対して係合する係合部と、係合部よりアングル部側に形成された引きちぎり自在部を有する
サッシ。
【発明の詳細な説明】
【技術分野】
【０００１】
枠体の室内側に樹脂製のアングル部材が配置されたサッシに関する。
【背景技術】
【０００２】
枠体の室内側に樹脂製のアングル部材が配設されたサッシにおいて、開口部の内周面を覆うアングル部の室外側に枠体に連結する室外側部が連続して形成されたサッシが公知となっている。
【先行技術文献】
【特許文献】
【０００３】
【特許文献１】特開2013-117143号公報
【発明の概要】
【発明が解決しようとする課題】
【０００４】
上記特許文献１に記載されたサッシは、アングル部の室外側に枠体に連結する取付壁部を枠体の室内側面に係合等することでアングル部材が枠体に取り付けられている。
このようなサッシは、サッシ本体にアングル部材を取り付けた状態で施工現場へ搬送することが効率的であるが、サッシの搬送時に樹脂製のアングル部材が外れないようにサッシ本体に対するアングル部材の係合を強固にする必要があった。
しかし、アングル部材のサッシ本体に対する係合が強固であると、例えばアングル部材に経年劣化等による破損や汚れが生じたときに、アングル部材を簡単に交換することができず、交換に手間がかかる可能性があった。
【０００５】
本発明は、上記の事情を鑑み、枠体の室内側に樹脂製のアングル部材が取付られたサッシについて、サッシの搬送時にアングル部材が容易に外れることなく、施工後には、アングル部材を容易に交換可能とすることを目的とする。
【課題を解決するための手段】
【０００６】
本発明の一実施形態は、枠体の室内側に樹脂製のアングル部材が取付けられており、アングル部材は、開口部の内周面に沿う見込面を有するアングル部と、枠体の室内側部分に係合可能な取付壁部とを有し、取付壁部は、枠体に対して係合する係合部と、係合部よりアングル部側に形成された引きちぎり自在部を有するサッシである。
【発明の効果】
【０００７】
本発明の一実施形態のサッシの構成により、サッシの搬送時にアングル部材が容易に外れることなく、施工後には、アングル部材を容易に交換することができる。
【図面の簡単な説明】
【０００８】
【図１】本発明の一実施形態に係るサッシの内観図である。
【図２】本発明の第１の実施形態に係るサッシの竪断面図である。
【図３】本発明の第１の実施形態に係るサッシの横断面図である。
【図４】本発明の第１の実施形態に係るサッシの上枠部分の竪断面図である。
【図５】本発明の第１の実施形態に係るサッシのアングル部材の図である。
【図６】本発明の第１の実施形態に係るサッシのアングル部材の取付手順を説明する図である。
【図７】本発明の第２の実施形態に係るサッシの竪断面図である。
【図８】本発明の第２の実施形態に係るサッシの横断面図である。
【図９】本発明の第２の実施形態に係るサッシの上枠部分の竪断面図である。
【図１０】本発明の第２の実施形態に係るサッシのアングル部材の図である。
【図１１】本発明の第２の実施形態に係るサッシのアングル部材の取付手順を説明する図である。
【発明を実施するための形態】
【０００９】
本発明の一実施形態のサッシについて、図面を参考にして説明する。
（全体の構成）
図１に示すように、本実施形態のサッシは、上枠１１、下枠１２及び左、右竪枠１３，１４を四周に組んでなる枠体１の内周に上框２１，３１、下框２２，３２及び左、右竪框２３，３３，２４，３４を四周に組んで内周にガラス等のパネル体２５，３５を嵌め込んでなる内障子２及び外障子３を引違い自在に配置する引違いサッシとして構成されている。
【００１０】
−第１の実施形態−
本発明の第１の実施形態について、図２ないし５を参照して、説明する。
（上枠の構成）
上枠１１は、アルミニウム合金等の金属材料により形成され、図２に示すように、建物の躯体開口部の内周面に配置される上枠本体部１１ａと、上枠本体部１１ａの室内側より下方に延設される室内側見付壁部１１ｂと、上枠本体部１１ａの見込方向の中央付近から下方に延設される中央見付壁部１１ｃと、上枠本体部１１ａの室外側より下方に延設される室外側見付壁部１１ｄと、中央見付壁部１１ｃと室外側見付壁部１１ｄとの間から下方に延設される外上レール部１１ｅを有している。
【００１１】
上枠１１の室内側内周には、上枠本体部１１ａ、室内側見付壁部１１ｂ及び中央見付壁部１１ｃによって内周凹部１１ｆが形成されており、内周凹部１１ｆによって内障子２の上方部分を案内している。なお、上枠１１は、外上レール部１１ｅによって外障子３の上方部分を案内することで、内、外障子２，３を開閉している。
室内側見付壁部１１ｂ及び中央見付壁部１１ｃの室外側面にそれぞれ気密材保持部が形成されており、両気密材保持部に、それぞれ内障子２の上框２１及び外障子３の上框３１の室内側面に当接する気密材が保持されている。
【００１２】
上枠１１の内周凹部１１ｆのうち内、外障子２，３の閉鎖時における外障子３の室内側の部分に、上樹脂カバー５１が配置されており、上枠１１の室内側見付壁部１１ｂの室内側、すなわち上枠１１の室内側部分に、合成樹脂製のアングル部材６１が配置されている。
アングル部材６１は、上枠１１の室内側見付壁部１１ｂに係合する取付部と、開口部内周面を覆うアングル部を有し、取付部とアングル部との間には、アングル部材６１の変形を防止する潰れ防止部品７１が配置されている。
【００１３】
（下枠の構成）
下枠１２は、図２に示すように、建物の躯体開口部の内周面に配置される下枠本体部１２ａと、下枠本体部１２ａより立設する室内側見付壁部１２ｂと、下枠本体部１２ａの室内側上面に設けられ内障子２を案内する内下レール部１２ｃと、内下レール部１２ｃの室外側に延設される気密材保持片１２ｄと、下枠本体部１２ａの室外側上面に設けられ外障子３を案内する外下レール部１２ｅを有している。
【００１４】
室内側見付壁部１２ｂの室外側面に気密材保持部が形成されており、室内側見付壁部１２ｂの気密材保持部及び気密材保持片１２ｄの先端部に、それぞれ内障子２の下框２２及び外障子３の下框３２の室内側面に当接する気密材が保持されている。
【００１５】
下枠１２の下枠本体部１２ａの上面であって室内側見付壁部１２ｂと内下レール部１２ｃの間に内下樹脂カバー５２１が配置され、下枠本体部１２ａの上面であって内下レール部１２ｃよりも室外側及び気密材保持片１２ｄの上面に外下樹脂カバー５２２が配置されており、下枠１２の室内側見付壁部１２ｂの室内側、すなわち下枠１２の室内側部分に、合成樹脂製のアングル部材６２が取り付けられている。
アングル部材６２は、下枠１２の室内側見付壁部１２ｂに係合する取付部と、開口部内周面を覆うアングル部を有し、取付部とアングル部との間には、アングル部材６２の変形を防止する潰れ防止部品７２が配置されている。
【００１６】
（竪枠の構成）
左竪枠１３は、図３に示すように、建物の躯体開口部の内周面に配置される左竪枠本体部１３ａと、左竪枠本体部１３ａの室内側内周面に設けられた室内側見付壁１３ｂと、左竪枠本体部１３ａの見込方向で中央内周面に設けられた中央見付壁１３ｃと、左竪枠本体部１３ａの室外側内周面に設けられた室外側見付壁１３ｄを有している。
中央見付壁１３ｃと室外側見付壁１３ｄとによって、内、外障子２，３の閉鎖時に、外障子３の左竪框３３の先端が位置する障子受部を形成しており、中央見付壁１３ｃの室外側面に気密材保持部が形成されている。
【００１７】
障子受部には、内周に突出する突出片が形成されており、内、外障子２，３の閉鎖時に、外障子３の左竪框（戸先框）３３に設けられた引寄ブロックが当接することで左竪框３３を室内側に引き寄せて、中央見付壁１３ｃの室外側面の気密材保持部に保持された気密材に外障子３の左竪框３３の室内側面を密接させる。
【００１８】
左竪枠１３の左竪枠本体部１３ａの内周面であって室内側見付壁１３ｂと中央見付壁１３ｃの間に左樹脂カバー５３が配置されている。
【００１９】
右竪枠１４は、図３に示すように、建物の躯体開口部の内周面に配置される右竪枠本体部１４ａと、右竪枠本体部１４ａの室内側内周面に設けられた室内側見付壁１４ｂと、右竪枠本体部１４ａの見込方向で中央内周面に設けられた中央見付壁１４ｃと、右竪枠本体部１４ａの室外側内周面に設けられた室外側見付壁１４ｄを有している。
室内側見付壁１４ｂと中央見付壁１４ｃとによって、内、外障子２，３の閉鎖時に、内障子２の右竪框（戸先框）２４の先端が位置する障子受部を形成しており、室内側見付壁１４ｂの室外側面に気密材保持部が形成されている。
【００２０】
障子受部には、内周に突出する突出片が形成されており、内、外障子２，３の閉鎖時に、内障子２の右竪框２４に設けられた引寄ブロックが当接することで右竪框２４を室内側に引き寄せて、室内側見付壁１４ｂの室外側面の気密材保持部に保持された気密材に内障子２の右竪框２４の室内側面を密接させる。
【００２１】
右竪枠１４の室内側見付壁１４ｂの室内側、すなわち右竪枠１４の室内側部分に合成樹脂製のアングル部材６４が取付けられている。アングル部材６４は、右竪枠１４の室内側見付壁１４ｂに係合する取付部と、開口部内周面を覆うアングル部を有し、取付部とアングル部との間には、アングル部材６４の変形を防止する潰れ防止部品７４が配置されている。
【００２２】
（内障子及び外障子）
内障子２及び外障子３の構成について、主に内障子２を用いて説明し、外障子３については、内障子２と異なる部分についてのみ説明する。
【００２３】
内障子２を構成する各框材は、金属材料からなりそれぞれ中空部を有する金属框材と、金属框材の室内側に配置される樹脂框材を有している。
上框２１は、図２に示すように、金属上框２１１と樹脂上框２１２を有し、樹脂上框２１２は、金属上框２１１の上方部位を除く室内側を覆い、室内側に露出した金属上框２１１の上方部位に上枠１１の室内側見付壁部１１ｂに配置された気密材が当接している。
【００２４】
下框２２は、図２に示すように、金属下框２２１と樹脂下框２２２を有し、金属下框２２１は、中空部を有する下框本体部２２１ａと、パネル体２５を保持するパネル間口２２１ｂを備えている。樹脂下框２２２は、下框本体部２２１ａの室内側に位置する複数の中空部を有し、金属下框２２１の下方部位を除く室内側を覆い、室内側に露出した金属下框２２１の下方部位に下枠１２の室内側見付壁部１２ｂに配置された気密材が当接している。
【００２５】
下框２２は、樹脂下框２２２の複数の中空部の下面に、下枠１２の室内側に配置されるアングル部材６２の上面に向かって延びる複数（図２では、２つ）のヒレ片を長手方向に沿って有している。
【００２６】
左竪框（召合框）２３は、図３に示すように、金属左竪框２３１と樹脂左竪框２３２を有し、金属左竪框２３１の室外側面には、外障子３の右竪框（召合框）３４との間を気密する気密材と、煙返し片が設けられている。気密材は、２条の片（一片及び他片）を有している。
【００２７】
樹脂左竪框２３２は、金属左竪框２３１の室内側面および外周側面を覆い、外周側面を覆う部位の室外側部分から金属左竪框２３１に設けた気密材に沿うように突条片２３１ａが形成されている。
【００２８】
右竪框（戸先框）２４は、図３に示すように、金属右竪框２４１と樹脂右竪框２４２を有し、金属右竪框２４１は、中空部を有する右竪框本体部２４１ａと、パネル体２５を保持するパネル間口２４１ｂと、右竪框本体部２４１ａの外周に形成される戸先溝部２４１ｃを備えており、戸先溝部２４１ｃには右竪枠１４の突出片に当接する引寄ブロックが配置されている。
【００２９】
樹脂右竪框２４２は、右竪框本体部２４１ａとパネル間口２４１ｂの室内側に配置され、戸先溝部２４１ｃの室内側には配置されておらず、室内側に露出した戸先溝部２４１ｃの室内側面が右竪枠１４の室内側見付壁１４ｂに配置された気密材に当接している。
【００３０】
外障子３を構成する下框３２は、図２に示すように、内障子２の下框２２と同様に、金属下框３２１と樹脂下框３２２を有しており、樹脂下框３２２の中空部が複数ではなく、比較的大きな一つの中空部によって形成されている点で内障子２の下框２２と異なっている。
外障子３の樹脂下框３２２の中空部の下面には、下枠１２に配置される外下樹脂カバー５２２の上面に向かって延びる複数（図２では、２つ）のヒレ片を長手方向に沿って有している。
【００３１】
外障子３を構成する右竪框（召合框）３４は、アルミニウム合金等の金属材料からなり、図３に示すように、中空部を有する右竪框本体部３４ａと、パネル体３５を保持するパネル間口３４ｂを備えている。パネル間口３４ｂを形成する室内側間口壁は中空状に形成されており、内、外障子２，３の閉鎖時に内障子２の金属左竪框２３１に設けられた気密材の一片に当接している。また、室内側間口壁の内周に樹脂カバー材３４２が設けられており、内、外障子２，３の閉鎖時に内障子２の金属左竪框２３１に設けられた気密材の他片及び樹脂左竪框２３２に設けられた突条片２３１ａに近接もしくは当接している。
【００３２】
右竪框本体部３４ａの室内側面に、煙返し片が設けられており、内障子２の金属左竪框２３１に設けられた煙返し片とともに煙返しを形成している。
その他外障子の上框、戸先框の構成については、内障子２のそれとほぼ同様であるので、ここでの説明は省略する。
【００３３】
（アングル部材）
本実施形態のサッシのアングル部材の構成について、図４ないし６を参考に、さらに詳細に説明する。
なお、本実施形態のサッシにおいて、上枠１１の室内側に配置されるアングル部材６１と，下枠１２の室内側に配置されるアングル部材６２と，右竪枠１４の室内側に配置されるアングル部材６４は、ほぼ同じ構成を成しているので、以下の説明においては、上枠１１の室内側に配置されるアングル部材６１を用いて説明する。
【００３４】
アングル部材６１は、図４，図５（ａ）に示すように、上枠１１の室内側見付壁部１１ｂに沿う見付面を有する取付壁部（取付部）６１ａと、取付壁部６１ａの下端から室内側に延びて開口部の内周面に沿う見込面を有するアングル部６１ｂと、取付壁部６１ａの下端から室外側に延びて上枠１１の室内側見付壁部１１ｂの下面を覆う室外側見込壁部６１ｃと、アングル部６１ｂの外周面から外周に突設される立壁部６１ｄを有している。
【００３５】
取付壁部６１ａは、上端に室内側下方に向かって延びる係合部６１ｅを有しているとともに、室内側面の所定高さ位置に室外側係止壁６１ｆを有している。さらに、取付壁部６１ａは、係合部６１ｅよりもアングル部６１ｂ側（図４においては、係合部６１ｅの下方側）に溝状の切り欠きを入れることで取付壁部６１ａの厚さを小さくして相対的に強度の弱い引きちぎり自在部６１ｎが形成されている。また、室外壁部６１ａの室外側面に、軟質合成樹脂等の軟性材料からなるすべり止めヒレ片６１ｊが設けられている。
【００３６】
室外側見込壁部６１ｃは、上面に突出するずれ止め突起６１ｇを有している。
立壁部６１ｄは、上端が室外側に屈曲して取付壁部６１ａの室外側係止壁６１ｆに近接するように延びる室内側係止壁６１ｈが形成されており、室外側係止壁６１ｆと室内側係止壁６１ｈとによって、アングル部６１ｂの潰れ防止部品７１を係合する取付溝６１ｉが形成されている。
【００３７】
潰れ防止部品７１は、短尺のブロック形状をなしており、図４に示すように、アングル部材６１の室外側係止壁６１ｆ及び室内側係止壁６１ｈによって形成される取付溝６１ｉに係合する係合脚部７１ａと、アングル部材６１の取付壁部６１ａに沿うブロック形状の潰れ防止部７１ｂと、を有している。
【００３８】
係合脚部７１ａは、室外側係止壁６１ｆと室内側係止壁６１ｈとの間の寸法よりも小さい頸部７１ｃと室外側係止壁６１ｆと室内側係止壁６１ｈとの間の寸法よりも大きい頭部７１ｄとからなり、頭部７１ｄをアングル部材６１の端面から取付溝６１ｉ内に挿入することにより、アングル部材６１に取り付けられる。
【００３９】
そして、潰れ防止部７１ｂは、室外側に垂直面が形成されており、潰れ防止部品７１がアングル部材６１に取り付けられた際にアングル部材６１の取付壁部６１ａに当接する。
また、潰れ防止部７１ｂの上面に長手方向に沿って上枠１１に係止される係止溝７１ｆが形成されており、係止溝７１ｆの室外側が取付壁部６１ａに当接する当接部７１ｅとして形成され、当接部７１ｅの上面は室内側から室外側に向かって下方に傾斜する傾斜面７１ｇとして形成されている。
【００４０】
一方、アングル部材６１が取り付けられる上枠１１は、室内側見付壁部１１ｂの室内側上方部位から室内側に延びる水平壁及び水平壁の室内側端から下方に屈曲して延びる垂直壁からなるアングル部材係止壁１１ｋを有しており、垂直壁の室外側面には、アングル部材６１の係合部６１ｅが係止される被係止突片１１ｇが形成されている。
また、上枠１１の室内側見付壁部１１ｂの下端室内側から室内側下方に、鉤状に形成されたずれ止め突片１１ｈが形成されている。
【００４１】
そして、本実施形態のサッシのアングル部材６１を上枠１１に取付けるに際しては、予めアングル部材６１の端面から潰れ防止部品７１を挿入して取付け、上枠１１の室内側見付壁部１１ｂのアングル部材係止壁１１ｋの室外側にアングル部材６１の取付壁部６１ａを挿入するとともに、アングル部材係止壁１１ｋを潰れ防止部品７１の係止溝７１ｆに挿入する。
【００４２】
アングル部材６１の取付壁部６１ａがアングル部材係止壁１１ｋの室外側に挿入されるにしたがって、係合部６１ｅがアングル部材係止壁１１ｋの被係止突片１１ｇに当接するが、係合部６１ｅの弾性によって被係止突片１１ｇを乗り越え、乗り越えた後に弾性復帰することで、係合部６１ｅが被係止突片１１ｇに係合し、アングル部材６１を取付けることができる。
【００４３】
アングル部材６１を取り付けた状態においては、アングル部材６１の係合部６１ｅが被係止突片１１ｇに係止され、アングル部材係止壁１１ｋの室外側に潰れ防止部品７１の当接部７１ｅが挿入されるとともに、室外側見込壁部６１ｃの上面に形成したずれ止め突起６１ｇが室内側見付壁部１１ｂの下面に形成したずれ止め突片１１ｈに係合する。そして、ずれ止めヒレ片６１ｊが、図４に示すように、室内側見付壁部１１ｂの室内側面に当接して変形することで、アングル部材７１の容易な脱落を防止することができる。
その後、必要に応じて、アングル部６１ｂをビス等の固定手段により固定することで、アングル部材６１の固定が完了する。
【００４４】
そして、本実施形態のサッシのアングル部材６１が経年劣化等により破損や汚れた場合など、アングル部材６１を交換するに際しては、図６（ａ）に示すように、躯体開口部の室内側に配置されているアングル部材６１のアングル部６１ｂを固定しているビス等の固定手段ｂを取りはずし、ペンチ等の器具によってアングル部材６１を下方へ引っ張る。
【００４５】
アングル部材６１、アングル部６１ｂ等が下方に引っ張られることによって、図６（ｂ）に示すように、取付壁部６１ａに形成された強度の弱い引きちぎり自在部６１ｎにおいて切断され、サッシから外すことができる。なお、切断された係合部６１ｅは上枠１１内に残存させてもよく、上枠１１から落ちるようにしてもよい。ただし、切断された係合部６１ｅを残存させた場合であっても、必要に応じて撤去できることが好ましい。
また、潰れ防止部品７１については、アングル部材６１と一緒にとりはずされることが好ましい。
【００４６】
次に、新たに配置するアングル部材６１を用意し、図５（ｂ），図６（ｃ）に示すように、該アングル部材６１の係合部６１ｅを引きちぎり自在部６１ｎにおいて切断し、古いアングル部材６１が配置されていた場所に挿入する。
その後、図６（ｄ）に示すように、アングル部６１ｂを釘等の固定手段によって躯体開口部固定することで、アングル部材６１を交換することができる。
【００４７】
−第２の実施形態−
本発明の第２の実施形態のサッシについて、図７ないし図１０を参照して、説明する。なお、本実施形態のサッシにおいては、第１の実施形態のサッシに比べて、各アングル部材６１，６２，６３の構成が異なっているので、以下では、アングル部材について主に説明し、第1の実施形態のサッシと同様の構成については、その説明を省略する。
【００４８】
本実施形態のサッシは、図７に示すように、上枠１１に取り付けられるアングル部材６１の取付壁部６１ａの構成、潰れ防止部品７１の構成、及び、アングル部材６１を取り付けるための上枠１１の構成が、第１の実施形態のサッシと異なっている。
【００４９】
また、図７に示すように、下枠１２に取り付けられるアングル部材６２の室外壁部６２ａの構成、潰れ防止部品７２の構成、及び、アングル部材６２を取り付けるための下枠１２の構成が、第１の実施形態のサッシと異なっている。
また、図８に示すように、右竪枠１４に取り付けられるアングル部材６４の室外壁部６４ａの構成、潰れ防止部品７４の構成、及び、アングル部材６４を取り付けるための右竪枠１４の構成が、第１の実施形態のサッシと異なっている。
【００５０】
以下、第２の実施形態のサッシに用いられるアングル部材について、上枠１１に取り付けられるアングル部材６１を参考にして、さらに詳細に説明する。なお、一部構成が同じである部分については、その説明を省略している。
【００５１】
本実施形態のアングル部材６１は、図９に示すように、取付壁部６１ａの上端に室外側に向かって屈曲して延び先端に鈎状部を有する係合部６１ｅを有しているとともに、取付壁部６１ａの室内側面の所定高さ位置に室外側係止壁６１ｆを有している。そして、取付壁部６１ａは、係合部６１ｅよりもアングル部６１ｂ側（図９においては、係合部６１ｅの室内側）に取付壁部６１ａの厚さを小さくして相対的に強度の弱い引きちぎり自在部６１ｎが形成されている。
また、アングル部材６１は、取付壁部６１ａの室内側面の室外側係止壁６１ｆよりも上方位置に室内側に突出する鈎状の係合片６１ｍを有しているとともに、室外側面に突出する嵌合凸部６１ｋを有している。
【００５２】
そして、潰れ防止部品７１は、図９に示すように、室外側の垂直面に長手方向に沿って係止溝７１ｆが形成されており、係止溝７１ｆの上面には、係止爪７１ｈを有している。
【００５３】
一方、アングル部材６１が取り付けられる上枠１１は、上枠本体部１１ａの室内側端近傍に係止片１１ｉが形成されているとともに、室内側見付壁部１１ｂの室内側面にアングル部材６１の嵌合凸部６１ｋが嵌合する嵌合凹部１１ｊを有している。
【００５４】
そして、本実施形態のサッシのアングル部材６１を上枠１１に取付けるに際しては、予め端面から潰れ防止部品７１を挿入して取付けたアングル部材６１の室内側下方部位のずれ止め突起６１ｇを上枠１１のずれ止め突片１１ｈに係合させ、アングル部材６１の上方を上枠１１に近づける。
【００５５】
アングル部材６１の上方が上枠１１に近づくにしたがって、係合部６１ｅの鈎状部が上枠１１の係止片１１ｉに当接するが、係合部６１ｅの弾性によって係止片１１ｉを乗り越え、乗り越えた後に弾性復帰することで、係合部６１ｅが係止片１１ｉに係合することでアングル部材６１を上枠１１に取付けることができる。
【００５６】
アングル部材６１を取り付けた状態においては、アングル部材６１の取付壁部６１ａの上端に設けられた係合部６１ｅが上枠１１の上枠本体部１１ａに形成された係止片１１ｉに係止されるとともに、取付壁部６１ａの下端に連続する室外側見込壁部６１ｃの上面に形成したずれ止め突起６１ｇが室内側見付壁部１１ｂの下面に形成したずれ止め突片１１ｈに係合することで、アングル部材７１の容易な脱落を防止することができる。
【００５７】
さらに、アングル部材６１の室外壁部６１ａに形成された嵌合凸部６１ｋが上枠１１の室内側見付壁部１１ｂに形成された嵌合凹部１１ｊに嵌合し室外側見込壁部６１ｃとで挟持することで、アングル部材６１のがたつき防止することができる。
その後、必要に応じて、アングル部６１ｂをビス等の固定手段により固定することで、アングル部材６１の固定が完了する。
【００５８】
次に、本実施形態のサッシのアングル部材６１が経年劣化等により破損や汚れた場合など、アングル部材を交換するに際しては、図１１（ａ）に示すように、躯体開口部の室内側に配置されているアングル部材６１のアングル部６１ｂを固定している釘等の固定手段を取りはずし、ペンチ等の器具を用いるなどして下方へ引っ張る。
【００５９】
アングル部材６１、アングル部６１ｂ等が下方に引っ張られることによって、図１１（ｂ）に示すように、取付壁部６１ａに形成された強度の弱い引きちぎり自在部６１ｎにおいて切断され、つぶれ防止部品７１と一緒にサッシから外すことができる。なお、切断された係合部６１ｅは上枠１１内に残存させてもよいし、上枠１１から落ちるようにしてもよい。ただし、切断された係合部６１ｅを残存させた場合であっても、必要に応じて撤去できることが好ましい。
【００６０】
そして、新たに配置するアングル部材６１を用意し、図１０（ｂ）、図１１（ｃ）に示すように、該アングル部材６１の係合部６１ｅを引きちぎり自在部６１ｎにおいて切断し、古いアングル部材６１が配置されていた場所に挿入する。
その後、図１１（ｄ）に示すように、アングル部６１ｂを釘等の固定手段によって躯体開口部固定することで、アングル部材６１を交換することができる。
【００６１】
以上のように、本発明の各実施形態のサッシにおいては、上枠１１に対してアングル部材６１を強固に取り付けることができ、上枠１１の搬送中にアングル部材６１の容易な脱落を防止することができながら、アングル部材６１の交換時には、アングル部材６１を上枠１１から容易に取り外すことができ、交換作業の効率化を図ることができる。
【００６２】
なお、以上の実施形態は，請求項に記載された発明を限定するものではなく，例示として取り扱われることは言うまでもない。
例えば、アングル部材６１に形成された引きちぎり自在部６１ｎは、部材の厚さを小さくして形成されるものに限定されず、部材に傷等を設けるなどして形成された他の部分よりも強度の弱い部分や、折り曲げ部等のアングル部材６１を引っ張った時に力が集中する部分によって構成してもよい。
また、サッシは、引違いサッシに限定されるものではなく、アングル部材を用いるあらゆるサッシに対して適用することができる。
【符号の説明】
【００６３】
１        ：枠体
１１      ：上枠
１１ｂ    ：室内側見付壁部（室内側部分）
６１      ：アングル部材
６１ａ    ：取付壁部（取付部）
６１ｂ    ：アングル部
６１ｃ    ：室外側見込壁部
６１ｄ    ：立壁部
６１ｅ    ：係合部
６１ｎ    ：引きちぎり自在部
【図１】
2020026646.tif 000003
【図２】
2020026646.tif 000004
【図３】
2020026646.tif 000005
【図４】
2020026646.tif 000006
【図５】
2020026646.tif 000007
【図６】
2020026646.tif 000008
【図７】
2020026646.tif 000009
【図８】
2020026646.tif 000010
【図９】
2020026646.tif 000011
【図１０】
2020026646.tif 000012
【図１１】
2020026646.tif 000013